(57)【特許請求の範囲】
【請求項１】
着用者の腹側に配される腹側外装体と、着用者の背側に配される背側外装体と、腹側外装体及び背側外装体に架け渡すように固定された吸収性本体とを具備し、腹側外装体と背側外装体の吸収性物品縦方向に沿う両側縁部に、腹側外装体と背側外装体とを接合して形成されたサイドシール部を有するパンツ型吸収性物品であって、
腹側外装体及び背側外装体は、それぞれ、吸収性物品縦方向の長さが前記サイドシール部の長さより長く、それぞれ、該サイドシール部より下方に延出する延出部分を有しており、
腹側外装体の前記延出部分においては、２枚のシート間に弾性部材が配されており、
その弾性部材の一本又は複数本は、腹側外装体の側縁部又はその近傍に設けられた端部固定部において前記２枚のシート間に固定されている一方、端部固定部間においては、該２枚のシートの何れにも固定されておらず、
腹側外装体の前記延出部分における吸収性本体と重なる部分に、前記２枚のシート間が接合された線状接合部が、吸収性物品幅方向に延びて形成されており、
前記線状接合部は、吸収性物品縦方向に間隔を開けて複数本形成されており、
複数の前記線状接合部は、着用時に下方に位置するものほど、吸収性物品横方向の長さが短くなっている、パンツ型吸収性物品。
【請求項２】
腹側外装体及び背側外装体は、それぞれ、前記延出部分の延出長さが、該サイドシール部の長さの５〜１５０％である、請求項１に記載のパンツ型吸収性物品。
【発明の詳細な説明】
【技術分野】
【０００１】
本発明は、使い捨ておむつ等のパンツ型吸収性物品に関する。
【背景技術】
【０００２】
従来、着用者の腹側に配される腹側部、着用者の股間部に配される股下部及び着用者の背側に配される背側部に亘る砂時計状の外装体と、該外装体の内面側に固定された吸収性本体とを備え、腹側部における外装体の両側縁部と背側部における外装体の両側縁部とが接合されてウエスト開口部及び一対のレッグ開口部が形成されているパンツ型吸収性物品が知られている。
このようなパンツ型吸収性物品を連続生産する際には、外装体の帯状原反にレッグ開口部形成用の貫通孔や切り欠きを形成し、不要な部分をトリムとして除去するのが一般的である。
【０００３】
また、従来のパンツ型吸収性物品として、外装体が、着用者の腹側に配される腹側外装体と、着用者の背側に配される背側外装体とに分割されており、吸収性本体が、腹側外装体及び背側外装体に架け渡すように固定されていると共に、腹側外装体の左右の両側縁部と背側外装体の左右両側縁部とが接合されているパンツ型吸収性物品が知られている。例えば、特許文献１には、そのようなパンツ型吸収性物品として、前ベルト部分及び後ろベルト部分からなる環状弾性ベルトと吸収性本体とを備えると共に、後ろベルト部分（背側外装体）の縦方向の長さを、前ベルト部分（腹側外装体）の縦方向の長さよりも長くしたプルオン衣類が記載されている。
【０００４】
また、外装体が腹側外装体と背側外装体とに分割されたものではないが、特許文献２には、外装体を構成する外側シートと内側シートとの間に補助弾性部材を有し、該補助弾性部材は、胴周り側部の側縁近傍に固着された両端部と、該両端部の間に位置して前記外側シートと前記内側シートとに非固着の中央部とを有する着用物品が記載されている。
【先行技術文献】
【特許文献】
【０００５】
【特許文献１】特表２００８−５０８０８２号公報
【特許文献２】特開２００３−３８５５６号公報
【発明の概要】
【発明が解決しようとする課題】
【０００６】
外装体が、着用者の腹側に配される腹側外装体と着用者の背側に配される背側外装体とに分割されたパンツ型吸収性物品は、外装体の帯状原反からのトリムの除去を不要としたり、除去すべきトリムの小型化等を図ることができるが、着用時にふんどしのような外観を呈するものが多く、そのような外観を好まない消費者も多かった。
特許文献１のプルオン衣類は、後ろベルト部分の縦方向の長さが、前ベルト部分（腹側外装体）の同長さより長いことによって、着用者の臀部の被覆性が高められている。しかし、特許文献１のプルオン衣類においても、特に着用者の前側から見た外観は好ましいものではなかった。
【０００７】
本発明者らは、腹側外装体及び背側外装体それぞれに、前記サイドシール部より下方に延出する延出部分を形成したパンツ型吸収性物品を検討したが、単に延出部分を形成したのみでは、ふんどしのような外観ではなくなるが、延出部分の見栄えがあまり良くなかった。
特許文献２も、特許文献も、外装体が腹側外装体と背側外装体とに分割されたおむつ等の外観の改善を何ら示唆するものではない。
【０００８】
従って、本発明は、外装体が、着用者の腹側に配される腹側外装体と着用者の背側に配される背側外装体とに分割されたタイプのパンツ型吸収性物品でありながら、外観に優れたパンツ型吸収性物品に関する。
【課題を解決するための手段】
【０００９】
本発明は、着用者の腹側に配される腹側外装体と、着用者の背側に配される背側外装体と、腹側外装体及び背側外装体に架け渡すように固定された吸収性本体とを具備し、腹側外装体と背側外装体の吸収性物品縦方向に沿う両側縁部に、腹側外装体と背側外装体とを接合して形成されたサイドシール部を有するパンツ型吸収性物品であって、腹側外装体及び背側外装体は、それぞれ、吸収性物品縦方向の長さが前記サイドシール部の長さより長く、それぞれ、該サイドシール部より下方に延出する延出部分を有しており、腹側外装体の前記延出部分においては、２枚のシート間に弾性部材が配されており、その弾性部材の一本又は複数本は、腹側外装体の側縁部又はその近傍に設けられた端部固定部において前記２枚のシート間に固定されている一方、端部固定部間においては、該２枚のシートの何れにも固定されておらず、腹側外装体の前記延出部分における吸収性本体と重なる部分に、前記２枚のシート間が接合された線状接合部が、吸収性物品幅方向に延びて形成されている、パンツ型吸収性物品を提供するものである。
【発明の効果】
【００１０】
本発明のパンツ型吸収性物品は、着用者の腹側に配される腹側外装体と着用者の背側に配される背側外装体とに分割されたタイプのパンツ型吸収性物品でありながら、外観に優れている。
【図面の簡単な説明】
【００１１】
【図１】図１は、本発明の一実施形態であるパンツ型使い捨ておむつの使用状態（着用状態）を示す図であり、（ａ）は、腹側部側から見た図、（ｂ）は、側方から見た図、（ｃ）は、背側部側から見た図である。
【図２】図２は、図１に示すパンツ型使い捨ておむつの展開且つ伸張状態を示す一部破断平面図である。展開且つ伸長状態とは、サイドシール部を引き剥がして、パンツ型吸収性物品を展開状態とし、その展開状態の吸収性物品を、各部の弾性部材を伸長させて、設計寸法（弾性部材の影響を一切排除した状態で平面状に広げたときの寸法と同じ）となるまで拡げた状態をいう。
【図３】図３は、図１に示すパンツ型使い捨ておむつの腹側部側をおむつ外面側から見た伸長状態の一部破断拡大図である。
【図４】図４は、図１に示すパンツ型使い捨ておむつの背側部側をおむつ外面側から見た伸長状態の一部破断拡大図である。
【図５】図５は、図１に示すパンツ型使い捨ておむつにおける延出部分伸縮部のおむつ横方向に沿う断面を示す図であり、（ａ）は、弾性部材２４を伸長させて襞をなくした状態、（ｂ）は弾性部材２４が収縮して襞２９が形成されている状態を示す図である。
【図６】図６は、図１に示すパンツ型使い捨ておむつの好ましい製造方法を示す図である。
【図７】図７は、本発明の他の実施形態であるパンツ型使い捨ておむつを示す図（図３相当図）である。
【発明を実施するための形態】
【００１２】
以下、本発明のパンツ型吸収性物品を、その好ましい一実施形態に基づき図面を参照しながら説明する。
本発明の第１実施形態であるパンツ型使い捨ておむつ１（以下、おむつ１ともいう）は、図１及び図２に示すように、着用者の腹側に配される腹側外装体２Ａと、着用者の背側に配される背側外装体２Ｂと、腹側外装体２Ａ及び背側外装体２Ｂに架け渡すように固定された吸収性本体３とを具備し、腹側外装体２Ａと背側外装体２Ｂの両側縁部２ａ、２ｂに、腹側外装体２Ａと背側外装体２Ｂとを接合して形成されたサイドシール部４を有するパンツ型の使い捨ておむつ１である。
また、腹側外装体２Ａ及び背側外装体２Ｂは、それぞれ、吸収性物品縦方向の長さＬａ，Ｌｂが、サイドシール部４の長さＬ４より長く、それぞれ、該サイドシール部４より下方に延出する延出部分２１ａ，２１ｂを有している。
【００１３】
おむつ１についてより詳細に説明する。
おむつ１は、図１及び図２に示すように、着用時に、着用者の腹側に配される腹側部Ａと、着用者の背側に配される背側部Ｂと、腹側部Ａと背側部Ｂとの間に位置し、着用者の股間部に配される股下部Ｃを有している。おむつ（吸収性物品）１の縦方向は、腹側部Ａから股下部Ｃを経て背側部Ｂに亘る方向又はその逆方向（図２中Ｘ方向）であり、おむつ（吸収性物品）１の横方向は、その縦方向に直交する方向（図２中Ｙ方向）である。
【００１４】
おむつ１の吸収性本体３は、図２に示すように、液透過性の表面シート３１、液不透過性又は撥水性の裏面シート３２、及び両シート３１、３２間に介在配置された液保持性の吸収性コア３３を有しており、Ｘ方向に長い長方形状に形成されている。
吸収性本体３の長手方向の両側部には、液抵抗性ないし撥水性で且つ通気性の素材から構成された側方カフス３４，３４が形成されている。各側方カフス３４の自由端の近傍には、側方カフス弾性部材３５が伸長状態で配されている。おむつ１を着用させる際には、側方カフス弾性部材３５が収縮することにより側方カフス３４が起立し、吸収性本体３から幅方向外方への液の流出が阻止される。表面シート３１、裏面シート３２及び吸収性コア３３としては、それぞれ、この種の吸収性物品に従来用いられているものと同様のものを用いることができる。吸収性本体３の外側には不織布やフィルム等の外装シートが配されている。外装シートは裏面シート３２と一体化されていてもよい。
【００１５】
腹側外装体２Ａは、おむつ１の展開且つ伸長状態（図２参照）において、横長の長方形状をなしており、おむつ縦方向（Ｘ方向）に沿う左右一対の側縁部２ａ，２ａと、おむつ横方向（Ｙ方向）に沿う上下一対の端縁部２ｃ，２ｄとを有している。背側外装体２Ｂも、同様に、横長の長方形状をなしており、おむつ縦方向（Ｘ方向）に沿う左右一対の側縁部２ｂ，２ｂと、おむつ横方向（Ｙ方向）に沿う上下一対の端縁部２ｃ，２ｄとを有している。腹側外装体２Ａと背側外装体２Ｂは、図２のようにおむつ縦方向（Ｘ方向）の長さがおむつ横方向（Ｙ方向）において均一である。
そして、腹側外装体２Ａの側縁部２ａの一部２ａ’と、背側外装体２Ｂの側縁部２ｂの一部２ｂ’とが接合されていることによって、おむつ１には、サイドシール部４，４、ウエスト開口部５及び一対のレッグ開口部６，６が形成されている。この接合には、例えばヒートシール、高周波シール、超音波シール、接着剤等が用いられる。図１には、ウエスト開口部５に幼児の胴部７ａ、レッグ開口部６，６に幼児の脚部７ｂ，７ｂが挿通された状態が示されている。
吸収性本体３は、長手方向の一端側（腹側外装体２Ａと重なっている部分）が、腹側外装体２ＡのＹ方向の中央部に接着剤を介して固定され、長手方向の他端側（背側外装体２Ｂと重なっている部分）が、背側外装体２ＢのＹ方向の中央部に接着剤を介して固定されている。
【００１６】
腹側外装体２Ａ及び背側外装体２Ｂは、本実施形態のおむつ１におけるように、２枚のシート間に伸長状態で配した弾性部材２４の収縮により弾性伸縮性を発現するものについては、図２に示すように、弾性部材２４を伸長させた状態で、一対の側縁部２ａ，２ａどうし、及び一対の側縁部２ｂ，２ｂどうしが、それぞれ互いに平行であることが好ましい。また、腹側外装体２Ａ及び背側外装体２Ｂは、弾性部材２４を伸長させた状態で、横長長方形状であることが好ましい。
なお、一対の側縁部２ａ，２ａどうし及び一対の側縁部２ｂ，２ｂどうしは、それぞれ互いに平行なものに代えて非平行なものであっても良く、例えば、腹側外装体２Ａ又は背側外装体２Ｂの端縁部２ｄから端縁部２ｃに向かって、一対の側縁部間の距離が拡大したり、減少したり、一旦拡大した後に減少するもの、一旦減少した後に拡大するもの等であっても良い。
【００１７】
サイドシール部４は、図２に示すように、腹側外装体２Ａの長さＬａ及び背側外装体２Ｂの長さＬｂの何れよりも短く形成されており、腹側外装体２Ａ及び背側外装体２Ｂには、それぞれ、サイドシール部４より下方（着用時における下方）に延出する延出部分２１ａ，２１ｂが形成されている。
【００１８】
おむつ１における腹側外装体２Ａ及び背側外装体２Ｂは何れも、図３及び図４に示すように、おむつの外面をなす外層シート２２と、外層シート２２の内面側に配された内層シート２３と、両シート２２，２３間に配された複数本の糸状の弾性部材２４とを備えており、それぞれ、ウエスト伸縮部Ｇ１、胴回り伸縮部Ｇ２、延出部分伸縮部Ｇ３，Ｇ４を有している。
【００１９】
ウエスト伸縮部Ｇ１は、腹側外装体２Ａ及び背側外装体２Ｂのそれぞれにおいて、おむつ１の縦方向（Ｘ方向）における、吸収性本体３の長手方向の端部３ａ，３ｂより外方に形成されている。胴回り伸縮部Ｇ２は、腹側外装体２Ａ及び背側外装体２Ｂのそれぞれにおいて、おむつ１の縦方向（Ｘ方向）における、ウエスト伸縮部Ｇ１と延出部分２１ａ，２１ｂとの間に形成されている。
【００２０】
延出部分伸縮部Ｇ３は、腹側外装体２Ａの前記延出部分２１ａに形成されており、延出部分伸縮部Ｇ４は、背側外装体２Ｂの前記延出部分２１ｂに形成されている。以下、腹側外装体２Ａに形成された延出部分伸縮部Ｇ３を、腹側延出部分伸縮部Ｇ３といい、背側外装体２Ｂに形成された延出部分伸縮部Ｇ４を、背側延出部分伸縮部Ｇ４という。
胴回り伸縮部Ｇ２及び背側延出部分伸縮部Ｇ４は、図３又は図４に示すように、吸収性本体３と重なる部分、特に吸収性本体３の幅方向中央部と重なる部分において伸縮性を発現しないように、おむつ１の左右に分割された状態に形成されている。
【００２１】
ウエスト伸縮部Ｇ１及び腹側延出部分伸縮部Ｇ３は、図３又は図４に示すように、腹側外装体２Ａ又は背側外装体２Ｂにおける、後述する端部固定部２７，２７間の全域に亘って伸縮性を発現するように形成されており、おむつ１の幅方向（Ｙ方向）の略全域に亘って伸縮性を発現する。
【００２２】
ウエスト伸縮部Ｇ１、胴回り伸縮部Ｇ２及び背側延出部分伸縮部Ｇ４においては、外層シート２２と内層シート２３との間が、散点状に形成された多数の接合部２６において接合されている。
より具体的には、伸縮部Ｇ１，Ｇ２及びＧ４の何れにおいても、おむつ１の横方向（Ｙ方向）に接合部２６が間欠的に直列配置されてなる接合部列が、おむつ１の縦方向（Ｘ方向）に複数列形成されている。また、それらの接合部列における各接合部のＹ方向の位置も全ての接合部列において一致している。また、おむつ１の縦方向（Ｘ方向）に接合部２６が直列配置されてなる縦接合部列も形成されており、該縦接合部列は、おむつ１の横方向（Ｙ方向）に間隔をおいて複数列形成されている。
そして、伸縮部Ｇ１，Ｇ２及びＧ４の何れにおいても、複数本の弾性部材２４が、それぞれ、縦方向に隣接する接合部２６間を通るように配されている。また、各弾性部材２４は、後述する端部固定部２７又は吸収性本体側固定部２８においてシート２２，２３間に固定されている一方、それ以外の部位においては、シート２２，２３の何れにも固定されていない。
【００２３】
腹側外装体２Ａのウエスト伸縮部Ｇ１は、腹側外装体２Ａの両側縁部２ａ，２ａに、外層シート２２と内層シート２３との間が接着剤を介して接合された一対の端部固定部２７を有している（図３参照）。ウエスト伸縮部Ｇ１に配された弾性部材２４は、一対の端部固定部２７それぞれにおいてシート２２，２３間に固定されている一方、端部固定部２７間においては、シート２２，２３の何れにも固定されていない。背側外装体２Ｂのウエスト伸縮部Ｇ１についても同様である（図４参照）。
腹側外装体２Ａの胴回り伸縮部Ｇ２は、何れも、腹側外装体２Ａの一方の側縁部に、外層シート２２と内層シート２３との間が接着剤を介して接合された端部固定部２７を有しており、また、吸収性本体３の側縁３ｃの位置の近傍に、外層シート２２と内層シート２３との間が接着剤を介して接合された吸収性本体側固定部２８を有している（図３参照）。胴回り伸縮部Ｇ２に配された弾性部材２４は、端部固定部２７と吸収性本体側固定部２８のそれぞれにおいてシート２２，２３間に固定されている一方、端部固定部２７と吸収性本体側固定部２８との間においては、シート２２，２３の何れにも固定されていない。背側外装体２Ｂの胴回り伸縮部Ｇ２、及び背側延出部分伸縮部Ｇ４についても同様である（図４参照）。
【００２４】
吸収性本体側固定部２８は、図３に示すように、吸収性本体３の側縁３ｃの内外に亘るように形成されていても良いが、その全体が吸収性本体３と重なるように形成されていても良い。その全体が吸収性本体３と重なっている態様には、吸収性本体側固定部２８のおむつ幅方向外側の端部の位置と吸収性本体３の側縁３ｃの位置とが一致する態様と、吸収性本体側固定部２８が、吸収性本体３の側縁３ｃとの間に所定の間隔を設けて形成されている態様との両者が含まれる。
また、吸収性本体側固定部２８を、吸収性本体３の側縁３ｃよりおむつ幅方向の外方に形成することもできる。
【００２５】
第１実施形態のおむつ１における腹側延出部分伸縮部Ｇ３は、腹側外装体２Ａの両側縁部それぞれに、外層シート２２と内層シート２３との間が接着剤を介して接合された端部固定部２７，２７を有している。そして、腹側延出部分伸縮部Ｇ３には、複数本の弾性部材２４が、各端部固定部２７，２７においてはシート２２，２３間に固定され、それら両端部固定部２７，２７間においてはシート２２，２３の何れにも固定されない態様で、配されている。腹側延出部分伸縮部Ｇ３に、端部固定部２７に位置する端部又はその近傍のみがシート２２，２３間に固定された態様で配される弾性部材２４の本数は、１〜３０本、特に５〜１５本程度であることが好ましい。
【００２６】
本実施形態における腹側延出部分伸縮部Ｇ３は、吸収性本体３と重なる中央部分Ｇ３１と、吸収性本体３の両側縁３ｃ，３ｃそれぞれの外方に位置する側部部分Ｇ３２，Ｇ３２とを有する。図３及び図４には、腹側外装体２Ａ又は背側外装体２Ｂを、おむつ幅方向（Ｙ方向）に伸長させた状態が示されている。
【００２７】
腹側延出部分伸縮部Ｇ３の前記中央部分Ｇ３１には、図３に示すように、おむつ幅方向（Ｙ方向）に沿って延びる複数本の線状接合部２９が形成されている。線状接合部２９は、シート２２，２３間を、ヒートシール、超音波シール、高周波シール、接着剤又はこれらの組みあわせ等の任意の接合手段により接合して形成したものであり、シート２２，２３を熱融着させたものであることが好ましい。
【００２８】
図３には、線状接合部２９が、おむつ縦方向に間隔を設けて６本形成されている例が示されているが、線状接合部２９の本数は、１本でも複数本でも良い。１本のみ設ける態様としては、例えば、符号２９ａで示す最も股下部Ｃ側の一本の線状接合部２９のみ形成する態様が挙げられる。線状接合部２９は、１〜３本の弾性部材２４毎に一本設けても良く、１本の弾性部材２４毎に一本設けても良い。図示例における線状接合部２９は、おむつ縦方向に、弾性部材２４と線状接合部２９とが交互に配置されるように形成されており、また、各弾性部材２４を挟んでその上下に２本の線状接合部２９が位置するように設けられている。
弾性部材２４は、線状接合部２９と重ならないように配されている。隣接する線状接合部２９間に弾性部材２４を配する場合も、隣接する線状接合部２９間の間隔が弾性部材２４の幅や太さとの関係で狭すぎると、該弾性部材２４がシート２２，２３間に実質的に固定されてしまう。そのため、弾性部材２４とシート２２，２３との間にＹ方向のずれが生じ得るような間隔とすることが好ましい。
【００２９】
他方、腹側延出部分伸縮部Ｇ３の前記側部部分Ｇ３２には、図３に示すように、ウエスト伸縮部Ｇ１や胴回り伸縮部Ｇ２と同様の態様で、多数の接合部２６が散点状に形成されている。具体的には、腹側延出部分伸縮部Ｇの側部部分Ｇ３２にも、多数の接合部２６が、おむつ１の横方向（Ｙ方向）に接合部２６が間欠的に直列配置されてなる接合部列が、おむつ１の縦方向（Ｘ方向）に複数列形成されるように配されている。そして、おむつ縦方向に隣接する接合部列間に弾性部材２４が配されている。
また、腹側延出部分伸縮部Ｇ３の側部部分Ｇ３２には、おむつ１の縦方向（Ｘ方向）に接合部２６が直列配置されてなる縦接合部列も形成されており、該縦接合部列は、おむつ１の横方向（Ｙ方向）に間隔をおいて複数列形成されている。
【００３０】
ウエスト伸縮部Ｇ１，胴回り伸縮部Ｇ２、背側延出部分伸縮部Ｇ４、及び腹側延出部分伸縮部Ｇ３の側部部分Ｇ３２，Ｇ３２のそれぞれにおいては、弾性部材２４が収縮することにより、隣接する縦接合部列間のシート２２及び２３が外方に膨らむように変形して、隣接する縦接合部列間にシート２２又はシート２３からなる襞２９が生じると共に、両シート２２，２３間には、襞２９と襞２９とに周囲を囲まれた中空部３０が形成される（図５参照）。襞２９や中空部３０が形成されることにより、腹側外装体２Ａ及び背側外装体２Ｂの柔らかさが向上して肌触り等が向上する他、肌当接面側に形成される襞２９間を空気が流通し易くムレ防止性にも優れている。特に、内層シート２３を、不織布等の通気性シートで形成した場合等においては、おむつ１内の湿気を外部に一層逃がしやすくなる。
【００３１】
本実施形態のおむつ１においては、腹側外装体２Ａ及び背側外装体２Ｂに前述した延出部分２１ａ，２１ｂが形成されているため、おむつ１を着用したときに、腹側外装体２Ａ及び背側外装体２Ｂの延出部分２１ａ，２１ｂに存する側縁部２ａ，２ｂが、図１（ｂ）に示すように、腹側部方向と背側部方向に分かれて逆Ｙ字状に開く。
しかも、腹側外装体２Ａの腹側延出部分伸縮部Ｇ３には、弾性部材２４、特に複数本の弾性部材２４が、端部固定部２７，２７間の全域に亘ってシート２２，２３間に固定されない態様で配されているため、吸収性本体３の両側縁部それぞれの外方のみに弾性部材を配した場合や、弾性部材２４を、吸収性本体側固定部２８でシート２２，２３間に固定した状態に配した場合とは異なり、弾性部材２４がその略全長に亘って収縮することにより得られる収縮量（弾性部材が短くなる長さ）を、線状接合部２９の端部より外方、特に吸収性本体３の両側縁部それぞれより外方に位置する部分に効果的に作用させることができる。
【００３２】
そのため、腹側外装体２Ａの延出部分２１ａにおける、線状接合部２９の端部よりおむつ幅方向外方に位置する部分、特に吸収性本体３の両側縁部それぞれより外方に位置する部分を、おむつ幅方向に効果的に収縮させることができる。
従って、腹側部Ａ側から見たときに、ふんどしのような外観を呈しない上に、延出部分２１ａが、めくれたり、ひらひらしたりせず、見栄えもよく、またモレへの不安感も与えにくい。
【００３３】
また、例えば、伸長応力の小さい弾性部材によっても、延出部分２１ａを効果的に収縮させることができるため、伸長応力の小さい弾性部材を用いて吸収性本体３や吸収性コア３３の幅方向の収縮を抑制しつつ、延出部分２１ａを効率的に収縮させることも可能である。
【００３４】
また、本実施形態のおむつ１においては、腹側延出部分伸縮部Ｇ３の中央部分Ｇ３１に線状接合部２９を有しており、弾性部材２４の収縮に伴い生じる外層シート２２の浮き（内層シート２３側から離れる方向に膨らむこと）を、線状接合部２９により抑制することができるため、浮きによる外観の悪化、外層シート２２の破けを防止できる。また、吸収性本体３の外装体側の面にキャラクターや模様等を表している場合に、それらが浮きによって外部から見えにくくなることも防止することができる。
外層シート２２の浮き防止、外層シート２２の破け防止等の観点から、線状接合部２９の長さは、少なくとも一本の長さ、好ましくは複数本それぞれの長さが、１ｍｍ以上、特に１０ｍｍ以上であることが好ましい。また、線状接合部２９は、少なくとも一本の長さ、好ましくはその複数本のそれぞれの長さが、吸収性本体３の幅（おむつ幅方向の長さ）を１００％としたときに、１５０〜５％の長さであることが好ましく、１００〜１０％の長さであることがより好ましい。また、線状接合部２９の幅（おむつ縦方向の寸法）は、０．５〜１０ｍｍ、特に１〜５ｍｍであることが好ましい。
本実施形態における線状接合部２９は、連続線状であるが、それに代えて、点線状であっても良い。点線状の線状接合部のおむつ幅方向の長さは、線状接合部中における相隣接する小接合部間の非接合部部分も含めた長さ（おむつ幅方向における一端と他端との間の距離）とする。
なお、おむつ１における腹側延出部分伸縮部Ｇ３の中央部分Ｇ３１は、内層シート２３側の略全域が接着剤で吸収性本体３に接合されている。また、延出部分２１ａの中央部分Ｇ３１において、内層シート２３と外層シート２２とは線状接合部２以外では接合されていない。
【００３５】
また、本実施形態のおむつ１においては、腹側外装体２Ａ及び背側外装体２Ｂの延出部分２１ａ，２１ｂに延出部分伸縮部Ｇ３、Ｇ４を有し、該延出部分２１ａ，２１ｂにおむつ横方向の伸縮性が付与されているため、延出部分２１ａ，２１ｂの縁部が、脚部７ｂの上部に柔軟に当たって、おむつ１の下方へのずれ落ちを効果的に防止する。
また、延出部分伸縮部Ｇ３，Ｇ４の伸縮応力が、着用時に、身体を締め付けるウエスト伸縮部Ｇ１や胴回り伸縮部Ｇ２の伸縮応力を更に強めるように機能し、身体へのフィット性が高まる。
そのため、おむつ１によれば、ウエスト開口部５やレッグ開口部６の締め付け力を過度に高めたりすることなく、優れたずれ落ち防止性が得られる。また、背側外装体２Ｂの延出部分２１ｂによって臀部も適度に覆うことができ、臀部のはみ出しによる外観の悪化を防止することもできる。
【００３６】
また、おむつ１においては、腹側外装体２Ａ及び背側外装体２Ｂに延出部分２１ａ，２１ｂが形成されているため、図１（ｂ）に示すように、サイドシール部４が比較的まっすぐな状態を維持し易いため、腹側部Ａと背側部Ｂにバランスよく均等な締め付け力を付与することができる。
【００３７】
また、おむつ１においては、腹側外装体２Ａの延出部分２１ａのみならず、背側外装体２Ｂの延出部分２１ｂにも、上述した構成の延出部分伸縮部Ｇ４，Ｇ４が形成されている。そのため、ずれ落ち防止性が一層向上している。
【００３８】
また、腹側延出部分伸縮部Ｇ３と延出部分伸縮部Ｇ４，Ｇ４の構成が上述のように異なるため、例えば、伸長応力が同じ弾性部材を同一の伸長率で配したとしても、腹側外装体２Ａの延出部分２１ａと背側外装体２Ｂの延出部分２１ｂとで、吸収性本体３の側縁外方の収縮の程度を異ならせることができる。
また、線状接合部２９の形成および端部固定部２７，２７以外で固定されていない弾性部材２４の影響により、腹側外装体２Ａの延出部分２１ａの伸縮性の方が背側外装体２Ｂの延出部分２１ｂに比べて大きい。
【００３９】
延出部分２１ａ，２１ｂそれぞれのおむつ横方向の伸縮性の程度は、展開かつ伸長状態のおむつ１における、延出部分２１ａ，２１ｂそれぞれの、吸収性本体３の側縁部３ｃからおむつ幅方向外方に延出する長さを１００％としたとき、収縮状態における同長さが、９０〜１５％となることが好ましく、６０〜２０％となることがより好ましく、５０〜２５％となることが更に好ましくい。
【００４０】
上述した効果の一又は二以上が一層確実に奏されるようにする観点から、腹側外装体２Ａ及び背側外装体２Ｂは、それぞれ、前記延出部分２１ａ，２１ｂの延出長さＬ５，Ｌ６が、該サイドシール部４の長さＬ４の５〜１５０％であることが好ましく、２５〜７０％であることがより好ましい。
また、同様の観点から、腹側外装体２Ａの延出部分２１ａの延出長さＬ５は、腹側外装体２Ａの長さＬａの５〜６０％、特に２０〜４０％であることが好ましく、背側外装体２Ｂの延出部分２１ｂの延出長さＬ６は、背側外装体２Ｂの長さＬｂの５〜６０％、特に２０〜４０％であることが好ましい。
なお、延出部分２１ａ，２１ｂそれぞれの延出長さＬ５，Ｌ６は、１０ｍｍ以上であることが好ましく、２０ｍｍ以上であることがより好ましい。
幼児用のおむつの場合、延出部分２１ａ，２１ｂそれぞれの延出長さＬ５，Ｌ６は、１０〜１００ｍｍであることがより好ましく、更に好ましくは２０〜７０ｍｍである。成人用のおむつの場合、延出部分２１ａ，２１ｂそれぞれの延出長さＬ５，Ｌ６は、１０〜１５０ｍｍであることがより好ましく、更に好ましくは２０〜１００である。
【００４１】
また、腹側外装体２Ａと背側外装体２Ｂとは、着用者を前側から見たときに見える肌の露出部分を減らして漏れに対する不安感を低減する観点からは、前記延出部分２１ａ，２１ｂの延出長さＬ５，Ｌ６がほぼ等しいことが好ましい。延出部分２１ａ，２１ｂの延出長さＬ５，Ｌ６がほぼ等しいとは、腹側外装体２Ａの延出部分２１ａの延出長さＬ５と、背側外装体２Ｂの延出部分２１ｂの延出長さＬ６とが、５ｍｍ以下の関係を有する場合をいう。
他方、腹側外装体２Ａ及び背側外装体２Ｂの両者に延出部分２１ａ，２１ｂを形成すると共に背側外装体２Ｂの延出部分２１ｂの延出長さＬ６を、腹側外装体２Ａの延出部分２１ａの延出長さＬ５よりも長くすることも好ましい。このような形態のパンツ型吸収性物品によれば、臀部を被覆して過度の露出を防止しつつ、着用者の股部前側もある程度覆うことができるため、外観に一層優れたおむつとなる。このような観点から、前記延出長さＬ６は、前記延出長さＬ５の１．１〜２．５倍の長さとすることがより好ましい。
【００４２】
なお、外層シート２２及び内層シート２３は、ウエスト開口部の開口周縁端をなす端縁部２ｄにおいて内層シート２３側に折り返された延出折り返し部２２ａ，２３ａを有しており、延出折り返し部２２ａ，２３ａは、サイドシール部４において、外層シート２２及び内層シート２３の折り返されていない部分と接合されていると共に、吸収性本体３の長手方向と重なる部分が、接着剤により該吸収性本体３の表面シート側の面に接合されている。
【００４３】
外層シート２２及び内層シート２３としては、この種の物品に従来使用されている各種のシート材を特に制限なく用いることができるが、不織布であることが好ましく、特に柔軟性等の観点から、エアースルー不織布、ヒートロール不織布、スパンレース不織布、スパンボンド不織布、メルトブローン不織布等からなる単層の不織布又は２層以上の積層不織布であることが好ましい。また、これらの不織布とフィルムとを一体化したシートでもよい。弾性部材２４の形成材料としては、使い捨ておむつや生理用ナプキン等の吸収性物品に用いられる各種公知の弾性材料を特に制限なく用いることができる。弾性材料としては、例えば、スチレン−ブタジエン、ブタジエン、イソプレン、ネオプレン等の合成ゴム、天然ゴム、ＥＶＡ、伸縮性ポリオレフィン、ポリウレタン等を挙げることができる。弾性部材の形態としては、断面が矩形、正方形、円形、多角形状等の糸状（糸ゴム等）若しくは紐状（平ゴム等）のもの、又はマルチフィラメントタイプの糸状のもの等を好ましく用いることができる。
【００４４】
次に、第１実施形態のパンツ型使い捨ておむつ１の好ましい製造方法について図６を参照して説明する。本実施態様の製造方法は、おむつ１を連続的に製造する方法である。
本実施態様の製造方法においては、図６に示すように、外層シートの原反である幅広の帯状シート１２２と、内層シートの原反である幅広の帯状シート１２３とを、両者間に弾性部材２４を伸長状態で介在させた状態に重ね合わせる。両帯状シート１２２，１２３を重ね合わせる前には、図示しない接着剤塗工機で、帯状シート１２２及び／又は帯状シート１２３に、端部固定部２７及び吸収性本体側固定部２８形成用の接着剤を間欠的に塗工しておき、ニップロール９０による加圧により、弾性部材２４が、両固定部２７，２８において帯状シート１２２，１２３間に固定されるようにする。
【００４５】
次いで、重ね合わせた両帯状シート１２２，１２３を、周面に接合部２６形成用の凸部、線状接合部２９形成用の凸部及び弾性部材２４切断用の凸部が形成された加圧ロール９１と、加圧ロール９１と対向配置されたアンビルロール９２との間に導入して部分的に加圧及び加熱することにより、上述した多数の接合部２６及び線状接合部２９を形成すると共に、吸収性本体３が配置される部位の弾性部材２４を切断する。なお、接合部２６の形成と、線状接合部２９の形成と、弾性部材２４の切断は、それぞれ異なる加圧ロールを用いて行うこともでき、また、接合部２６の形成と弾性部材２４の切断とを同一の加圧ロールで行う一方、線状接合部２９の形成をそれとは別の加圧ロールで行うこともできる。
【００４６】
次いで、弾性部材２４が介在された状態で積層された両帯状シート１２２，１２３を、分割手段９３により、２本の帯状シート１０２Ａ，１０２Ｂに分割する。分割により生じた２本の帯状シート１０２Ａ，１０２Ｂは、腹側外装体連続体１０２Ａ及び背側外装体連続体１０２Ｂとして用いられる。腹側外装体連続体１０２Ａは、概ね、複数個分のおむつ１の腹側外装体２Ａが連続した構成を有し、背側外装体連続体１０２Ｂは、概ね、複数個分のおむつ１の背側外装体２Ｂが連続した構成を有している。
分割手段としては、シートを連続的に切断し得る各種公知の切断装置を用いることができ、例えば、シートの流れ方向の上流側にカッター刃を備えたものや、周面又は周縁部に環状の刃を有する円筒又は円盤状のカッター、レーザーカッター、高圧水流カッター等を用いることができる。分割手段により分割する方法は、加圧ロール９１等の軸長方向の寸法を短くできる等の利点がある。
【００４７】
次いで、腹側外装体連続体１０２Ａと背側外装体連続体１０２Ｂとを、両者間に所定の間隔を設けた状態て連続搬送しながら、腹側外装体連続体１０２Ａと背側外装体連続体１０２Ｂとに、吸収性本体３を架け渡すように固定する。吸収性本体３の固定のために、吸収性本体３の裏面シート側の面及び／又は両連続体１０２Ａ，１０２Ｂの対向面に接着剤を塗工しておく。また、本実施態様においては、腹側外装体連続体１０２Ａと背側外装体連続体１０２Ｂそれぞれの流れ方向に沿う一方の側部１０２Ａ’，１０２Ｂ’を、吸収性本体３の両端部を覆うように折り返し、折り返した部分を該両端部に固定している。
【００４８】
そして、このようにして得られたおむつ連続体１０１を２つ折りし、次いで、サイドシール部４，４を、ヒートシール、超音波シール、高周波シール、接着剤等、またはこれらの手段を組み合わせて形成する。サイドシール部４，４の形成には、一対のシールロールを備えたシール装置（図示せず）が好ましく用いられる。また、おむつ連続体１０１の２つ折りは、腹側外装体連続体１０２Ａの側部１０２Ａ’の折り返し及び背側外装体連続体１０２Ｂの側部１０２Ｂ’の折り返しにより生じた縁部１０１’どうしが重なるように行う。
そして、サイドシール部４，４の形成後に、おむつ連続体１０１を公知の切断手段（図示せず）により、個々のおむつ１の寸法に切断する。これにより、上述した構成のパンツ型使い捨ておむつ１が得られる。サイドシール部４，４は、腹側外装体連続体１０２Ａ及び背側外装体連続体１０２Ｂそれぞれの全幅に亘らないように形成し、おむつ１の腹側外装体２Ａ及び背側外装体２Ｂに上述した延出部分２１ａ，２１ｂが形成されるようにする。
【００４９】
本実施態様の製造方法に関し、特に説明しない点は、従来の、いわゆる横流れ方式のパンツ型使い捨ておむつの製造方法と同様にして製造することができる。例えば、腹側外装体連続体１０２Ａ及び背側外装体連続体１０２Ｂ上に配置する吸収性本体３は、吸収性本体が長手方向に連続した構成の吸収性本体連続体１０３を公知の方法により製造した後、これをおむつ１個分の寸法に切断して得ることができる。また、得られた吸収性本体３は、それぞれ９０度回転した上で、腹側外装体連続体１０２Ａ及び背側外装体連続体１０２Ｂ上に間欠的に配置することができる。
【００５０】
また、第１実施形態のおむつ１は、このように、外装体形成用の帯状シート１２２，１２３から、レッグ開口部形成用のトリムを除去しないで製造することができるため、トリムの除去や再利用に必要な工程を不要として、効率的且つ経済的に製造することができる。また、トリムが生じないため環境にもやさしい。
【００５１】
次に、本発明の第２及び第３実施形態について説明する。
第２及び第３実施形態のパンツ型使い捨ておむつについては、第１実施形態との相違点について主として説明し、同様の点については説明を省略する。特に説明しない点は、第１実施形態と同様である。以下の説明においては、第１実施形態のおむつの各構成要素等に付した符号と同一の符号を、第２及び第３実施形態における対応する構成要素等に付してある。
【００５２】
第２実施形態のパンツ型使い捨ておむつにおいては、図７に示すように、腹側延出部分伸縮部Ｇ３の中央部分Ｇ３１に、複数本の線状接合部２９が形成されているが、その線状接合部２９の長さが、ウエスト開口部５側から股下部Ｃ側に向かって漸次短くなっている。
この場合、延出部分２１ａの収縮した部分が、線状接合部２９の端部の位置まで移動するが、その収縮した部分が、おむつ幅方向内側に入る程度が、ウエスト開口部５側から股下部Ｃ側に向かって大きくなるため、延出部分２１ａの側縁部が、ウエスト開口部５側から股下部Ｃ側に向かっておむつ幅方向内側に大きく入ることになる。
そのため、腹側部Ａ側の脚回りの外観をハイレグ様の外観とすることができる。
【００５３】
第３実施形態のパンツ型使い捨ておむつは、第１実施形態のおむつ１における腹側延出部分伸縮部Ｇ３と同様の構成を有する伸縮部を、腹側外装体２Ａの延出部分２１ａ及び背側外装体２Ｂの延出部分２１ｂの双方に有している。
【００５４】
以上、本発明をその好ましい実施形態に基づき説明したが、本発明は上述した実施形態に制限されるものではない。
例えば、腹側延出部分伸縮部Ｇ３の側部部分Ｇ３２における接合部２６は、平面視千鳥状のパターンで形成されていても良い。また、ウエスト伸縮部Ｇ１や胴回り伸縮部Ｇ２等は、全面的に接着された２枚のシート間に弾性部材が固定されているもの等であっても良い。
【００５５】
また、背側外装体２Ｂの延出部分は、第１実施形態のおむつ１とは異なる構成によって、おむつ横方向に伸縮性を有していても良い。ここでいう、おむつ横方向に伸縮性を有するとは、横方向（Ｙ方向）のみに伸縮性を有する場合に限られず、横方向（Ｙ方向）及び縦方向（Ｘ方向）に伸縮性を有していても良い。また、平面内の全方向に伸縮するものであっても良い。
【００５６】
また、おむつ１における端部固定部２７は、腹側外装体２Ａ又は背側外装体２Ｂのおむつ幅方向（Ｙ方向）の端縁との間にある程度の距離（例えば０ｍｍ超２０ｍｍ以下の隙間）を設けて形成されていても良い。
【００５７】
また、パンツ型吸収性物品は、幼児又は成人用のパンツ型使い捨ておむつの他、パンツ型の生理用ナプキン等であっても良い。
【符号の説明】
【００５８】
１  パンツ型使い捨ておむつ（パンツ型吸収性物品）
２Ａ  腹側外装体
２ａ，２ａ  側縁部
２１ａ  延出部分
２Ｂ  背側外装体
２ｂ，２ｂ  側縁部
２１ｂ  延出部分
２２  外層シート
２３  内層シート
２４  弾性部材
３  吸収性本体
３１  表面シート
３２  裏面シート
３３  吸収性コア
３４  側方カフス
４  サイドシール部
５  ウエスト開口部
６  レッグ開口部
Ａ  腹側部
Ｂ  背側部
Ｃ  股下部
Ｇ１  ウエスト伸縮部
Ｇ２  胴回り伸縮部
Ｇ３  腹側延出部分伸縮部
Ｇ３１  中央部分
Ｇ３２  側部部分
Ｇ４  背側延出部分伸縮部
【図１】
0005415178.tif 000002
【図２】
0005415178.tif 000003
【図３】
0005415178.tif 000004
【図４】
0005415178.tif 000005
【図５】
0005415178.tif 000006
【図６】
0005415178.tif 000007
【図７】
0005415178.tif 000008